(57)【要約】【課題】梯子を電柱等に素早く確実に固定することができ、構造が簡単で部品点数が少なく、安価な梯子固定装置を提供する。【解決手段】梯子に取付ける取付け部１と、構造物を挟んで梯子をこれに固定する一対の爪２、３を備える。一方の爪は取付け部に固定される。他方の爪は、第１のピン４によって取付け部に取付けられて、第１のピンのまわりに回動し、一方の爪との間に構造物を挟む閉じた位置と、構造物から離脱する開いた位置をとり得る。他方の爪および取付け部間に配置され、他方の爪を開いた位置に向けて弾性付勢するバネ５と、他方の爪に設けられ、他方の爪をバネの弾性付勢力に抗して開いた位置から閉じた位置に向けて回動させるレバー６と、一端がレバーに接続されたロープを備える。梯子に取付けた状態で、ロープを引っ張り他方の爪を閉じた位置まで回動させた後、ロープを梯子に係止して他方の爪を閉じた位置に固定する。【選択図】図２
0003154674.tif 000002
【実用新案登録請求の範囲】
【請求項１】
梯子に取付けるための取付け部と、
前記取付け部に設けられ、実質上円形断面の構造物を両側から挟み付けて、梯子を前記構造物に固定するための一対の爪と、を備え、
前記一対の爪は、それぞれ、一側縁がＣ字形に湾曲するとともに、互いのＣ字形湾曲部が向き合うように配置され、一方の前記爪は、前記取付け部に固定され、他方の前記爪は、その基部が第１のピンによって前記取付け部に取付けられて、前記第１のピンのまわりに回動し、前記一方の爪に接近して前記一方の爪との間に前記構造物を挟み付ける閉じた位置と、前記一方の爪から離れて前記構造物から離脱する開いた位置と、をとり得るようになっており、さらに、
前記他方の爪および前記取付け部の間に配置され、前記他方の爪を前記開いた位置に向けて弾性付勢するバネと、
前記他方の爪の基部に設けられ、前記第１のピンから前記他方の爪の反対側にのび、前記他方の爪を前記バネの弾性付勢力に抗して前記開いた位置から前記閉じた位置に向けて回動させるためのレバーと、
一端が前記レバーに接続されたレバー操作用の紐またはロープと、を備え、梯子に取付けた状態で、前記紐または前記ロープを引っ張り前記他方の爪を前記閉じた位置まで回動させた後、前記紐または前記ロープを梯子に係止することにより、前記他方の爪を前記閉じた位置に固定することを特徴とする梯子固定装置。
【請求項２】
前記一方の爪は、その基部が第２のピンによって前記取付け部に取付けられて、前記第２のピンのまわりに回動可能とされ、さらに、前記一方の爪には、前記第２のピンを中心とする一定半径の円弧上の位置に複数の第１の貫通穴が形成され、前記取付け部には、前記第２のピンを中心とする前記一定半径の円弧上の位置に単一の第２の貫通穴が形成され、前記一方の爪の前記第１の貫通穴のいずれかと前記取付け部の前記第２の貫通穴が重ね合わされた状態で、当該第１および第２の貫通穴に第１のボルトが通され、前記第１のボルトおよびナットによって前記一方の爪が前記取付け部に締付け固定され、それによって、前記開いた位置にある前記他方の爪に対する前記一方の爪の傾斜角度を変更可能になっていることを特徴とする請求項１に記載の梯子固定装置。
【請求項３】
前記取付け部は、
一定の長さを有するアングル部材と、
前記アングル部材の両端にそれぞれ固定された、梯子の足掛けに取付けるための取付け金具と、を備え、
前記取付け金具は、平行な一対の側壁および前記一対の側壁を接続する中間壁からなるコ字状断面を有し、一方の前記側壁および前記中間壁の外側面が前記アングル部材の内側面に接合され、前記取付け金具は、前記一対の側壁が前記足掛けを上下に挟んだ状態で前記足掛けに嵌め込まれるようになっており、前記一対の側壁の先端部には、前記取付け金具が前記足掛けに嵌め込まれたとき、前記一対の側壁の間にのびて前記足掛けの前記一対の側壁間からの脱出を妨げる規制手段が備えられ、さらに、一方の前記側壁には、他方の前記側壁に向けて突き出しおよびこれから後退し得る締付け手段が備えられ、前記アングル部材の外側面に前記一対の爪が設けられ、前記取付け金具が前記足掛けに嵌め込まれたとき、前記他方の側壁および前記締付け手段の間に前記足掛けがクランプされることによって、前記取付け部が前記足掛けに固定されることを特徴とする請求項１または請求項２に記載の梯子固定装置。
【考案の詳細な説明】
【技術分野】
【０００１】
本考案は、街灯や電柱等の保守・点検作業をする際に、街灯の支柱や電柱等に梯子を固定するために使用する梯子固定装置に関するものである。
【背景技術】
【０００２】
街灯や電柱等の保守・点検作業がなされる際、梯子が街灯の支柱や電柱等に立て掛けられ、作業者が梯子を登り作業が行われる。この場合、街灯の支柱や電柱等は円形断面を有しているので、作業中に、梯子が支柱や電柱等の表面との接点のまわりに回転し易く、時には支柱や電柱等から外れて倒れてしまい、作業者が転落する危険性があった。
【０００３】
このため、梯子の上部をロープ等によって支柱や電柱等に縛り付けることで梯子を固定していたが、梯子をロープで固定する際、また梯子の使用後にロープを取り外す際に作業者が転落する危険性があった。
そこで、従来、梯子の上部に固定装置を取り付け、この固定装置を地上から操作することにより、固定装置を介して梯子を支柱や電柱等に固定する方法が採られている。
【０００４】
このような固定装置としては、例えば、フレームに設けられた摺動軸の先端に第一電柱掴持部材が設置され、フレームの両側先端に連結された第一リンクを介して第二電柱掴持部材が取り付けられ、第一電柱掴持部材の両端と第一リンクの中間点とを第二リンクで連結している。摺動軸は軸受け金具に支持され、第一電柱掴持部材と軸受け金具との間に押しバネが介在し、軸受け金具には拗れ板と押しバネが嵌められ、拗れ板の自由端からロープが延び、梯子を電柱に凭れ掛けると掴持部材が電柱を掴持し、紐体を引っ張ると掴持が解除されるようにしたもの（例えば、特許文献１参照）がある。
しかし、この固定装置は、構成が複雑であり、部品点数も多く、製造コストがかかるという欠点を有している。
【０００５】
また、本体に開閉自在に枢着された一対の固定用爪と、一対の固定用爪の基部間に枢着された左右ネジとを備え、左右ネジの回転によって一対の固定用爪が開閉するように構成され、さらに、左右ネジにはプーリーが設けられ、プーリーにはロープが捲回され、梯子をかける際に作業者がロープを下方より引っ張ることにより左右ネジを回転せしめ、固定用爪を作動させるように構成したもの（例えば、特許文献１参照）がある。
【０００６】
この固定装置は、構造が比較的簡単であり、部品点数も少なく、製造コストがあまりかからないという長所を有しているが、その一方で、ロープによって比較的径の小さいプーリーを回転させ、それによってネジ（送りネジ）を回転させることにより、固定用爪を開閉する構成となっているので、支柱や電柱等に固定用爪を締付け固定するのに大きな力を要し、さらには、固定用爪の開閉に時間がかかるという欠点を有している。
【先行技術文献】
【特許文献】
【０００７】
【特許文献１】特開２０００−２４８８６５号公報
【特許文献２】実開平７−４３２１７号公報
【考案の概要】
【考案が解決しようとする課題】
【０００８】
本考案の課題は、梯子を支柱や電柱等に素早く確実に固定することができ、また、構造が簡単で部品点数が少なく、低コストで製造できる梯子固定装置を提供することにある。
【課題を解決するための手段】
【０００９】
上記課題を解決するため、本考案は、梯子に取付けるための取付け部と、前記取付け部に設けられ、実質上円形断面の構造物を両側から挟み付けて、梯子を前記構造物に固定するための一対の爪と、を備え、前記一対の爪は、それぞれ、一側縁がＣ字形に湾曲するとともに、互いのＣ字形湾曲部が向き合うように配置され、一方の前記爪は、前記取付け部に固定され、他方の前記爪は、その基部が第１のピンによって前記取付け部に取付けられて、前記第１のピンのまわりに回動し、前記一方の爪に接近して前記一方の爪との間に前記構造物を挟み付ける閉じた位置と、前記一方の爪から離れて前記構造物から離脱する開いた位置と、をとり得るようになっており、さらに、前記他方の爪および前記取付け部の間に配置され、前記他方の爪を前記開いた位置に向けて弾性付勢するバネと、前記他方の爪に設けられ、前記第１のピンから前記他方の爪の反対側にのび、前記他方の爪を前記バネの弾性付勢力に抗して前記開いた位置から前記閉じた位置に向けて回動させるためのレバーと、一端が前記レバーに接続されたレバー操作用の紐またはロープと、を備え、梯子に取付けた状態で、前記紐または前記ロープを引っ張り前記他方の爪を前記閉じた位置まで回動させた後、前記紐または前記ロープを梯子に係止することにより、前記他方の爪を前記閉じた位置に固定することを特徴とする梯子固定装置を構成したものである。
【００１０】
上記構成において、好ましくは、前記一方の爪は、その基部が第２のピンによって前記取付け部に取付けられて、前記第２のピンのまわりに回動可能とされ、さらに、前記一方の爪には、前記第２のピンを中心とする一定半径の円弧上の位置に複数の第１の貫通穴が形成され、前記取付け部には、前記第２のピンを中心とする前記一定半径の円弧上の位置に単一の第２の貫通穴が形成され、前記一方の爪の前記第１の貫通穴のいずれかと前記取付け部の前記第２の貫通穴が重ね合わされた状態で、当該第１および第２の貫通穴に第１のボルトが通され、前記第１のボルトおよびナットによって前記一方の爪が前記取付け部に締付け固定され、それによって、前記開いた位置にある前記他方の爪に対する前記一方の爪の傾斜角度を変更可能になっている。
【００１１】
上記構成において、また好ましくは、前記取付け部は、一定の長さを有するアングル部材と、前記アングル部材の両端にそれぞれ固定された、梯子の足掛けに取付けるための取付け金具と、を備え、前記取付け金具は、平行な一対の側壁および前記一対の側壁を接続する中間壁からなるコ字状断面を有し、一方の前記側壁および前記中間壁の外側面が前記アングル部材の内側面に接合され、前記取付け金具は、前記一対の側壁が前記足掛けを上下に挟んだ状態で前記足掛けに嵌め込まれるようになっており、前記一対の側壁の先端部には、前記取付け金具が前記足掛けに嵌め込まれたとき、前記一対の側壁の間にのびて前記足掛けの前記一対の側壁間からの脱出を妨げる規制手段が備えられ、さらに、一方の前記側壁には、他方の前記側壁に向けて突き出しおよびこれから後退し得る締付け手段が備えられ、前記アングル部材の外側面に前記一対の爪が設けられ、前記取付け金具が前記足掛けに嵌め込まれたとき、前記他方の側壁および前記締付け手段の間に前記足掛けがクランプされることによって、前記取付け部が前記足掛けに固定される。
【考案の効果】
【００１２】
本考案によれば、梯子固定装置を梯子の足掛けに固定し、梯子を実質上円形断面の構造物に立て掛け、地上から梯子固定装置の紐またはロープを引っ張るだけで、素早く確実に構造物を両側から梯子固定装置の一対の爪で挟み付けることができる。この場合、一方の爪を固定し、他方の爪を、てこの原理を用いて回動させることで、一対の爪を閉じるようにしたので、小さい力でも確実に構造物を挟み付けることができる。そして、構造物を挟み付けた後、紐またはロープを梯子に係止することによって梯子を構造物に確実に固定することができる。また、作業終了後は、紐またはロープの係止状態を解くことによって、簡単に一対の爪を開き、梯子を構造物から外すことができる。
また、本考案によれば、梯子固定装置を非常に簡単な構造にし、部品点数を少なくすることができ、よって、梯子固定装置の製造コストも少なくて済む。
【図面の簡単な説明】
【００１３】
【図１】本考案の１実施例による梯子固定装置の分解斜視図である。
【図２】図１の梯子固定装置の組立てられた状態の斜視図である。
【図３】図１の梯子固定装置の一対の爪で構造物を両側から挟み付けた状態を示す平面図であり、（Ａ）は大きい径の構造物の場合を、（Ｂ）は小さい径の構造物の場合をそれぞれ示した。
【図４】図１の梯子固定装置の使用状態を示す斜視図である。
【考案を実施するための形態】
【００１４】
以下、添付図面を参照して本考案の好ましい実施例について説明する。図１は、本考案の１実施例による梯子固定装置の分解斜視図であり、図２は、図１の梯子固定装置の組立てられた状態の斜視図である。また、図３は、図１の梯子固定装置の一対の爪で構造物を両側から挟み付けた状態を示す平面図であり、図４は、図１の梯子固定装置の使用状態を示す斜視図である。
【００１５】
図１〜図４を参照して、本考案による梯子固定装置は、梯子に取付けるための取付け部１と、取付け部１に設けられ、実質上円形断面の構造物を両側から挟み付けて、梯子を構造物に固定するための一対の爪２、３とを備えている。
【００１６】
取付け部１は、一定の長さのアングル部材８と、アングル部材８の両端にそれぞれ固定された、梯子２８の足掛け２９に取付けるための取付け金具９を備えている。
取付け金具９は、平行な一対の側壁１０、１１および一対の側壁１０、１１を接続する中間壁１２からなるコ字状断面を有し、一方の側壁１０および中間壁１２の外側面がアングル部材８の内側面に接合され、取付け金具９は、一対の側壁１０、１１が梯子２８の足掛け２９を上下に挟んだ状態で足掛け２９に嵌め込まれるようになっている。
【００１７】
また、一対の側壁１０、１１の先端部には、取付け金具９が足掛け２９に嵌め込まれたとき、一対の側壁１０、１１の間にのびて、足掛け２９の一対の側壁１０、１１間からの脱出を妨げる規制手段が備えられる。この実施例では、規制手段は、一対の側壁の先端部に形成された互いに整合する貫通穴１３ａ、１３ｂと、取付け金具９が足掛け２９に嵌め込まれたとき、一方の側壁１０の貫通穴１３ａから他方の側壁１１の貫通穴１３ｂに向けて通され、ナット１５によって一対の側壁１０、１１間に締付け固定されるボルト１４とから構成される。この規制手段の構成はこれに限定されず、公知の任意の構成とすることができる。
【００１８】
さらに、側壁１１には、側壁１０に向けて突き出しおよびこれから後退し得る締付け手段が備えられる。締付け手段は、この実施例では、側壁１１の貫通穴に同心に固定されたナット１７と、このナット１７と対をなすボルト１６とから構成され、取付け金具９が梯子２８の足掛け２９に嵌め込まれたとき、このボルト１６をねじ込み、側壁１０およびボルト１６の先端の間に足掛け２９がクランプされることによって、取付け部１が足掛け２９に固定されるようになっている。なお、この締付け手段の構成はこれに限定されず、公知の任意の構成とすることができる。
【００１９】
一対の爪２、３は、アングル部材８の外側面に取付けられ、アングル部材８から、取付け金具９の一対の側壁１０、１１と反対向きに突出している。また、一対の爪２、３は、それぞれ、平板状に形成され、一側縁がＣ字形に湾曲するとともに、互いのＣ字形湾曲部２ａ、３ａが向き合うように配置される。Ｃ字形湾曲部２ａ、３ａには、滑り止めのための突起２ｃ、３ｃが設けられている。
【００２０】
一方の爪２は、取付け部１のアングル部材８に固定され、他方の爪３は、その基部３ｂがピン４によってアングル部材８に取付けられて、ピンの４まわりに回動し、一方の爪２に接近して爪２との間に構造物を挟み付ける閉じた位置と、一方の爪２から離れて構造物から離脱する開いた位置とをとり得る。
【００２１】
爪３およびアングル部材８の間にはバネ５が取付けられ、爪３を開いた位置に向けて弾性付勢するようになっている。また、爪３の基部３ｂには、ピン４から爪３の反対側にのびるレバー６が設けられる。このレバー６によって、爪３をバネ５の弾性付勢力に抗して開いた位置から閉じた位置に向けて回動させることができる。
【００２２】
爪２は、その基部２ｂがピン７によって取付け部１のアングル部材８に取付けられて、第２のピン７のまわりに回動可能になっている。さらに、爪２には、ピン７を中心とする一定半径の円弧上の位置に複数の貫通穴１８が形成され、また、アングル部材８の拡張部８ａには、ピン７を中心とするそれと同じ半径の円弧上の位置に単一の貫通穴１９が形成される。
【００２３】
そして、図３に示すように、爪２の貫通穴１８のいずれかとアングル部材８の貫通穴１９が重ね合わされた状態で、これらの貫通穴１８、１９にボルト２０が通され、ボルト２０およびナット２１によって爪２がアングル部材８に締付け固定され、開いた位置にある爪３に対する爪２の傾斜角度を変更可能になっている。それによって、構造物２６の径が異なる場合であっても、常に、一対の爪２、３で構造物２６を両側から確実に挟み付けることができる。
【００２４】
さらに、ローラ２３を備えたフレーム２２からなるロープガイドが、アングル部材８上の一対の爪２、３の取付け面と同じ面に、ローラ２３がレバー６の先端部６ａに向き合うような配置で、ボルト２４およびナット２５によって取付けられる。そして、レバー６の先端部６ａにレバー操作用の平ロープ２７の一端が接続されるとともに、平ロープ２７がロープガイドに通され、ローラ２３上面を経て直角方向に向きを変えて案内される。平ロープ２７は、梯子固定装置が梯子２８の上部に取付けられたとき、その他端を地上にいる作業者が掴み、梯子２８に係止することができるのに十分な長さを有している。なお、平ロープ以外のロープや、紐を用いてもよい。
【００２５】
次に、本考案による梯子固定装置の使用方法を説明する。取付け部１の取付け金具９からボルト１４が取り外され、かつ、ボルト１６が十分に後退せしめられた後、図４に示すように、取付け金具９の一対の側壁１０、１１が梯子２８上部の足掛け２９を上下に挟んだ状態で、取付け部１が梯子２８の足掛け２９に嵌め込まれる。そして、ボルト１４が、取付け金具９の一方の貫通穴１３ａから他方の貫通穴１３ｂに向けて通され、ナット１５によって一対の側壁１０、１１間に締付け固定され、さらに、取付け金具９のボルト１６がねじ込まれ、側壁１０およびボルト１６の先端の間に足掛け２９がクランプされ、梯子固定装置（取付け部１）が足掛け２９に固定される。
【００２６】
梯子固定装置の爪３は常時は開いた位置にあり、梯子２８が構造物２６に立て掛けられるとき、開いた一対の爪２、３の間に構造物２６が挿入される。その後、地上から作業者によって梯子固定装置の平ロープ２７が引っ張られると、爪３が開いた位置から閉じ位置に向けて素早く回動し、構造物２６は一対の爪２、３によって両側から挟み付けられる。このとき、爪３を、てこの原理を用いて爪２に向けて回動させるので、小さい力でも確実に構造物２６を挟み付けることができる。構造物２６を挟み付けた後、平ロープ２７を梯子２８の下部に係止することによって梯子２８を構造物２６に確実に固定することができる。この場合、図４に示すように、公知のロープ緊張器３０を使用すれば、より迅速かつ確実に平ロープ２７を梯子２８に係止することができる。
作業終了後は、作業者が地上に降りた時点で、平ロープ２７の係止状態を解くことによって、簡単に一対の爪２、３を開き、梯子２８を構造物２６から外すことができる。
【符号の説明】
【００２７】
１  取付け部
２、３  爪
２ａ、３ａ  Ｃ字形湾曲部
２ｂ、３ｂ  基部
２ｃ、３ｃ  突起
４  ピン
５  バネ
６  レバー
７  ピン
８  アングル部材
８ａ  拡張部
９  取付け金具
１０、１１  側壁
１２  中間壁
１３ａ、１３ｂ  貫通穴
１４、１６、２０、２４  ボルト
１５、１７、２１、２５  ナット
１８、１９  貫通穴
２２  フレーム
２３  ローラ
２６  構造物
２７  平ロープ
２８  梯子
２９  足掛け
３０  ロープ緊張器
【図１】
0003154674.tif 000003
【図２】
0003154674.tif 000004
【図３】
0003154674.tif 000005
【図４】
0003154674.tif 000006